(57)【特許請求の範囲】
【請求項１】
画像形成に係る各種機能を設定する際に操作される複数の機能設定キーと、前記各種機能のうち、予め登録された１又は２以上の組合せに係る機能を直に設定する際に操作される少なくともひとつのショートカットキーと、前記ショートカットキーを含む機能設定に係るキーの設定情報を表示するための表示部と、を備え、前記機能設定に係るキーのいずれかが操作されたとき、当該操作されたキーに対応する画像形成処理を実行する画像形成装置であって、
前記ショートカットキーに関連付けて、２以上の組合せに係る機能を実現するための設定情報が登録される機能登録部と、
前記ショートカットキーが操作されたとき、前記機能登録部から読み出した当該ショートカットキーに係る設定情報と、デフォルトに係る設定情報との差分を抽出する差分抽出部と、
前記差分抽出部で抽出された差分に係る設定情報を、当該各機能に係る項目の設定情報並びに当該各機能が属するグループに係る識別情報によって、前記表示部に一覧表示させる制御を行う表示制御部と、
を備えたことを特徴とする画像形成装置。
【請求項２】
請求項１記載の画像形成装置であって、
前記表示制御部は、
前記差分抽出部で抽出された差分に係る設定情報を、その他の情報と視覚を通じて識別し得る態様をもって、前記表示部に一覧表示させる制御を行う、
ことを特徴とする画像形成装置。
【請求項３】
請求項１又は２に記載の画像形成装置であって、
前記ショートカットキーに係る設定情報を確定する際に操作される確定キーをさらに備え、
前記表示制御部は、
前記確定キーが操作されたとき、前記ショートカットキーに係る設定情報を、確定された画像形成処理に係る設定情報として反映させる、
ことを特徴とする画像形成装置。
【請求項４】
請求項１〜３のうちいずれか一項に記載の画像形成装置であって、
前記ショートカットキーに係る設定情報を反映させない選択を行う際に操作される取消キーをさらに備え、
前記表示制御部は、
前記取消キーが操作されたとき、前記ショートカットキーに係る設定情報をクリアする、
ことを特徴とする画像形成装置。
【発明の詳細な説明】
【技術分野】
【０００１】
本発明は、例えば、複写機、プリンタ、ファクシミリ又はこれらの複合機を含む画像形成装置に係り、特に、画像形成に係る各種機能のうち、１又は２以上の組合せに係る機能が登録されるショートカットキーの使い勝手を格段に向上させることができる画像形成装置に関する。
【背景技術】
【０００２】
例えば、複写機、プリンタ、ファクシミリ又はこれらの複合機を含む画像形成装置では、ユーザの多種多様なニーズに応えるために、多機能化が進展している。また、かかる多機能化に伴って、多彩な機能を実現するための項目の数も増加の一途をたどっている。しかし、操作パネルの表示画面に係るスペースの拡充は、多機能化の進展に追従できていない。そのため、限られたスペースを効率的に活用するために、代表的な機能に係る項目のみがインデックス的に一覧表示され、その他の機能に係る項目は、各代表機能に係る項目の下位層に、複数段階にわたり階層化されて配置されるのが通常である。この場合、例えば、ユーザの要求に係る機能項目が、階層構造のうち５段階目などの深い階層に存在する場合、ユーザの要求に係る機能項目に至るまで、複数段階の階層を辿って順次選択的に操作してゆく作業が煩わしいという問題が生じる。
【０００３】
かかる問題を解消するためのアプローチのひとつとして、本願出願人は、各種機能についての最近の利用状況に対応する各キーの使用頻度を検出し、使用頻度の高いショートカットキーを他のキーと比べて拡大表示する表示制御技術を提案している（特許文献１参照）。特許文献１の技術によれば、ユーザは使用頻度の高いキーを容易に判別することができ、キーを使用する際の操作性を向上させることができる。
【０００４】
ところで、本件発明者の研究によると、例えば、画像形成装置が共有に係る場合であって、ユーザ以外の他人が設定したショートカットキーの場合には、その設定情報の詳細が分からないため、折角の限りあるショートカットキー資源を有効に活用出来ないばかりか、装置全体としての利用効率を損なうおそれがあることが判明した。
【特許文献１】特開２００４−３４８０８５号公報
【発明の開示】
【発明が解決しようとする課題】
【０００５】
解決しようとする課題は、ショートカットキーの使い勝手を格段に向上させることを通じて、限りあるショートカットキー資源を有効活用し、かつ、装置全体としての利用効率を高水準に維持可能とする画像形成装置を提供することである。
【課題を解決するための手段】
【０００６】
本発明は、限りあるショートカットキー資源を有効活用し、かつ、装置全体としての利用効率を高水準に維持可能とする画像形成装置を提供することを目的として、画像形成に係る各種機能を設定する際に操作される複数の機能設定キーと、前記各種機能のうち、予め登録された１又は２以上の組合せに係る機能を直に設定する際に操作される少なくともひとつのショートカットキーと、前記ショートカットキーを含む機能設定に係るキーの設定情報を表示するための表示部と、を備え、前記機能設定に係るキーのいずれかが操作されたとき、当該操作されたキーに対応する画像形成処理を実行する画像形成装置であって、前記ショートカットキーに関連付けて、２以上の組合せに係る機能を実現するための設定情報が登録される機能登録部と、前記ショートカットキーが操作されたとき、前記機能登録部から読み出した当該ショートカットキーに係る設定情報と、デフォルトに係る設定情報との差分を抽出する差分抽出部と、前記差分抽出部で抽出された差分に係る設定情報を、当該各機能に係る項目の設定情報並びに当該各機能が属するグループに係る識別情報によって、前記表示部に一覧表示させる制御を行う表示制御部と、を備えたことを最も主要な特徴とする。
【発明の効果】
【０００７】
本発明に係る画像形成装置では、ショートカットキーが操作されたとき、差分抽出部は、機能登録部から読み出した当該ショートカットキーに係る設定情報と、デフォルトに係る設定情報との差分を抽出し、これを受けて表示制御部は、前記差分抽出部で抽出された差分に係る設定情報を、当該各機能に係る項目の設定情報並びに当該各機能が属するグループに係る識別情報によって、前記表示部に一覧表示させる制御を行うので、これによって、表示部には、当該ショートカットキーに係るデフォルトからの設定変更内容が、当該各機能に係る項目の設定情報並びに当該各機能が属するグループに係る識別情報によって、もれなく表示されることになる。従って、ユーザは、例えば、当該ショートカットキーに係る設定情報が、相互に異なる複数のタブグループに属する機能の組合せに係るものである場合であっても、各機能が、複数のタブグループのうちのどこに属するものかを探しながら、複数の各タブグループに属する設定情報を逐次確認してゆくといった煩雑な操作を一切要することなく、表示部における一覧表示画面を一見してデフォルトからの設定変更に係る概要を把握することが可能となる結果として、ショートカットキーの使い勝手を格段に向上させることを通じて、限りあるショートカットキー資源を有効活用し、かつ、装置全体としての利用効率を高水準に維持することができる。
【発明を実施するための最良の形態】
【０００８】
ショートカットキーの使い勝手を格段に向上させることを通じて、限りあるショートカットキー資源を有効活用し、かつ、装置全体としての利用効率を高水準に維持するといった目的を、ショートカットキーが操作されたとき、機能登録部から読み出した当該ショートカットキーに係る設定情報と、デフォルトに係る設定情報との差分を抽出する差分抽出部と、前記差分抽出部で抽出された差分に係る設定情報を、当該各機能に係る項目の設定情報並びに当該各機能が属するグループに係る識別情報によって、前記表示部に一覧表示させる制御を行う表示制御部と、の組合せによって実現した。
【実施例】
【０００９】
以下、本発明に係る画像形成装置について、図面を参照しつつ詳細に説明する。
【００１０】
［画像形成装置周辺の概略構成］
図１は、本発明に係る画像形成装置の概略構成を示す機能ブロック図、図２は、同画像形成装置における操作パネル部の外観図である。
【００１１】
本装置は、例えば、コピージョブ、ファクシミリ送信ジョブ、印刷ジョブ、又はネットワーク送信（メール送信やデータ送信）ジョブを含む諸機能が利用可能であり、マイクロコンピュータ及び専用のハードウェア回路等からなる主制御部１１によって制御される。この主制御部１１に接続され諸機能を担う入出力機器として、本装置は、スキャナ部２１、画像処理部３１、エンジン部４１、後処理部４２、操作パネル部５１、ファクシミリ通信部６１、ＨＤＤ（ハードディスクドライブ）６３、並びにネットワークＩ／Ｆ（インタフェース）部６５を備える。
【００１２】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本装置全体の動作を統括制御する。
【００１３】
スキャナ部２１は、図示しないスキャナを構成する画像照射ランプ２３及びＣＣＤ（電荷結合素子：Charge Coupled Device）センサ２５を含む。スキャナ部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００１４】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００１５】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local Area Network）によりクライアントＰＣ（パーソナルコンピュータ）等から送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１６】
後処理部４２は、プリント済みの記録紙をステープル止めするステープラユニット４４と、プリント済みの記録紙に孔明けするためのパンチユニット４６と、を備える。
【００１７】
操作パネル部５１は、図１及び図２に示すように、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００１８】
本発明において表示部として機能するタッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。また、タッチパネル部５３は、画像形成に係る各種機能を設定する際に操作される複数の機能設定キー、各種機能のうち、予め登録された１又は２以上の組合せに係る機能を直に設定する際に操作されるショートカットキー、並びに、設定変更の概要に係る表示画面を表示する際などに用いられる。
【００１９】
操作キー部５５は、例えば、ユーザが複写部数やコピー実行指令などをキー入力操作する際などに用いられる。
【００２０】
ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２１】
ＨＤＤ（ハードディスクドライブ）６３は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２２】
ネットワークＩ／Ｆ部６５は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２３】
さて、ショートカットキーの使い勝手を格段に向上させることを通じて、限りあるショートカットキー資源を有効活用し、かつ、装置全体としての利用効率を高水準に維持するために、主制御部１１は、ユーザによる各種キー等の操作情報を、操作パネル部５１を介して取得する操作情報取得部７１と、複数の各ショートカットキーにそれぞれ関連付けて、２以上の組合せに係る機能を実現するための設定情報が登録されるショートカットキー機能登録部（以下、「機能登録部」と省略する。）７３と、いずれかのショートカットキーが操作されたとき、機能登録部７３から読み出した当該ショートカットキーに係る設定情報と、デフォルトに係る設定情報との差分を抽出する差分抽出部７４と、テンポラリ領域７５及びテンポラリ領域管理部７６を備え、差分抽出部７４で抽出された差分に係る設定情報を、当該各機能に係る項目の設定情報並びに当該各機能が属するグループに係る識別情報によって、タッチパネル部５３に一覧表示させる制御を行う表示制御部７７と、を備えて構成されている。なお、表示制御部７７は、ショートカットキーが操作されたとき、機能登録部７３から読み出した当該ショートカットキーに係る設定情報をテンポラリ領域７５に展開する。これを受けてテンポラリ領域管理部７６は、テンポラリ領域７５における設定情報を管理する機能を有している。
【００２４】
［本発明に係る画像形成装置の動作］
次に、本発明に係る画像形成装置の動作について、図３及び図４を参照して説明する。図３は、本画像形成装置におけるショートカットキーの選択操作乃至確定操作に係るフローチャートを示し、図４は、ショートカットキーの選択操作に係るタッチパネル部５３における表示画面例を示す。
【００２５】
図３に示すように、あるユーザが、例えば、図４（１）に示す表示画面８１に提示されているショートカットキー群（「登録１」キー１０１、「登録２」キー１０３、「登録３」１０５）のうち、所要の機能に係るショートカットキーとして、「登録１」キー１０１を選択操作すると（ステップＳ１１）、表示制御部７７は、機能登録部７３の設定情報を参照することで、ステップＳ１１で選択操作された「登録１」キー１０１の設定情報を読み出すとともに、当該読み出した設定情報をテンポラリ領域７５に展開する（ステップＳ１２）。次いで、差分抽出部７４は、ステップＳ１２で展開した「登録１」キー１０１に係る設定情報と、デフォルトに係る設定情報との差分を抽出する（ステップＳ１３）。ここでいう「差分」とは、選択操作されたショートカットキー（「登録１」キー１０１）に係る、デフォルト（初期設定値）からの変更内容を意味する。
【００２６】
次いで、表示制御部７７は、差分抽出部７４で抽出された差分に係る設定情報を、当該各機能に係る項目の設定情報並びに当該各機能が属するグループに係る識別情報によって、タッチパネル部５３に一覧表示させる制御を行う（ステップＳ１４）。
【００２７】
このとき、タッチパネル部５３における表示画面８１には、例えば図４（２）に示すように、「登録１」キー１０１に係る一覧表示画面として、「基本」タブグループ１０７に属する画質モード調整機能として「文字モード」（原稿が文字である場合に適した画質モード）１１１が選択操作されている旨の設定情報、並びに「機能リスト」タブグループ１０９に属するなんらかの機能が選択操作されている旨の識別情報（ショートカットキー「登録１」に係るデフォルトからの設定変更内容）が、その他の情報との間で視覚を通じて識別し得る態様で一覧表示される。ここで、前者の例が、「当該各機能に係る項目の設定情報の表示」に相当する一方、後者の例が、「当該各機能が属するグループに係る識別情報の表示」に相当する。
【００２８】
また、図４（２）に示す表示画面において、ユーザが「機能リスト」タブグループ１０９を選択操作すると、タッチパネル部５３における表示画面８１には、例えば図５（１）に示すように、「機能リスト」タブグループ１０９に属する各種機能のうち、「ソート／仕上げ」１２３に係る項目グループに属するなんらかの機能が選択操作されている旨の識別情報（ショートカットキー「登録１」に係るデフォルトからの設定変更内容）が、その他の情報との間で視覚を通じて識別し得る態様で一覧表示される。かかる例が、「当該各機能が属するグループに係る識別情報の表示」に相当する。
【００２９】
さらに、図５（１）に示す表示画面において、ユーザが「ソート／仕上げ」１２３に係る項目グループを選択操作すると、タッチパネル部５３における表示画面８１には、例えば図５（２）に示すように、「ソート／仕上げ」１２３に係る項目グループに属する各種機能のうち、「ステープル設定」１２５に係る項目グループ、及び「パンチ設定」１１７に係る項目グループに属する機能が選択操作されている旨の識別情報（ショートカットキー「登録１」に係るデフォルトからの設定変更内容）が、その他の情報との間で視覚を通じて識別し得る態様で一覧表示される。かかる例が、「当該各機能が属するグループに係る識別情報の表示」に相当する。
【００３０】
そして、図５（２）に示す表示画面において、ユーザが、「ステープル設定」１２５に係る項目グループを選択操作すると、タッチパネル部５３における表示画面８１には、例えば図６（１）に示すように、「ステープル設定」１２５に係る項目の設定情報として「２点止め」（所定の二カ所でステープル留めを行う。）１１９が選択操作されている旨（ショートカットキー「登録１」に係るデフォルトからの設定変更内容）が表示される一方、「パンチ設定」１１７に係る項目グループを選択操作すると、タッチパネル部５３における表示画面８１には、例えば図６（２）に示すように、「パンチ設定」１１７に係る項目の設定情報として「２穴」（所定の二カ所にパンチ穴を開ける。）１２１が選択操作されている旨（ショートカットキー「登録１」に係るデフォルトからの設定変更内容）が表示される。かかる例が、「当該各機能に係る項目の設定情報の表示」に相当する。
【００３１】
なお、「当該各機能に係る項目の設定情報」並びに「当該各機能が属するグループに係る識別情報」を識別可能に一覧表示するにあたっては、設定情報並びに識別情報とその他の情報との間で、濃淡、デザイン、濃度階調（例えば、ハッチングパターンやグレースケールを用いた識別化を含む。）、若しくは色彩の変化、又はこれらの組合せに係る識別表示態様を適宜採用すればよい。
【００３２】
これによって、タッチパネル部５３における表示画面８１には、当該ショートカットキー「登録１」に係るデフォルトからの設定変更内容が、当該各機能に係る項目の設定情報並びに当該各機能が属するグループに係る識別情報によって、それらが相互に異なるタブグループに属する機能であるか否かにかかわらず、もれなく一覧表示されることになる。従って、ユーザは、当該ショートカットキー「登録１」に係る設定情報が、例えば、相互に異なる複数のタブグループに属する機能の組合せに係るものである場合であっても、各機能が、複数のタブグループのうちのどこに属するものかを探しながら、複数の各タブグループに属する設定情報を逐次確認してゆくといった煩雑な操作を一切要することなく、表示部における一覧表示画面を一見してデフォルトからの設定変更に係る概要を把握することが可能となる結果として、ショートカットキーの使い勝手を格段に向上させることを通じて、限りあるショートカットキー資源を有効活用し、かつ、装置全体としての利用効率を高水準に維持することができる。
【００３３】
さて、表示画面８１上における表示画面を閲覧することで各機能の設定情報を把握したユーザは、今回選択操作した「登録１」キー１０１が、自身の意図に沿うものであるか否かに係る判断を迫られる（ステップＳ１５）。
【００３４】
このとき、ユーザが、自身の意図に沿わない旨の判断を下した場合には、「元に戻すキー」（本発明の「取消キー」に相当する。）１２３を操作すればよい（ステップＳ１５の「Ｎｏ」）。すると、表示制御部７７は、今回設定した「登録１」キー１０１はキャンセルされたものとみなして、画像形成処理に係る設定情報を直前の状態に戻す処理を実行する（ステップＳ１６）。
【００３５】
一方、ユーザが、自身の意図に沿う旨の判断を下した場合には、「確定キー」（本発明の「確定キー」に相当する。）１２５を操作すればよい（ステップＳ１５の「Ｙｅｓ」）。すると、表示制御部７７は、今回設定した「登録１」キー１０１は採用されたものとみなして、テンポラリ領域７５における設定情報を、確定された画像形成処理に係る設定情報として反映させる処理を実行する（ステップＳ１７）。
【００３６】
ステップＳ１５又はＳ１６に係る処理の実行後に、表示制御部７７は、テンポラリ領域７５における設定情報をクリア（メモリ資源の有効活用の観点から）することで、次のショートカット選択操作に備えるとともに、一連のショートカットに係る処理を終了させる。
【００３７】
［実施例の効果］
以上述べたように、本発明に係る画像形成装置によれば、あるユーザによって、所要の機能に係るショートカットキーが操作されると、差分抽出部７４は、機能登録部７３から読み出した当該ショートカットキーに係る設定情報と、デフォルトに係る設定情報との差分を抽出し、これを受けて表示制御部７７は、前記差分抽出部７４で抽出された差分に係る設定情報を、当該各機能に係る項目の設定情報並びに当該各機能が属するグループに係る識別情報によって、タッチパネル部５３に一覧表示させるようにしたので、これによって、タッチパネル部５３には、当該ショートカットキーに係るデフォルトからの設定変更内容が、当該各機能に係る項目の設定情報並びに当該各機能が属するグループに係る識別情報の態様によって、もれなく一覧表示されることになる。従って、ユーザは、例えば、当該ショートカットキーに係る設定情報が、相互に異なる複数のタブグループに属する機能の組合せに係るものである場合であっても、各機能が、複数のタブグループのうちのどこに属するものかを探しながら、複数の各タブグループに属する設定情報を逐次確認してゆくといった煩雑な操作を一切要することなく、タッチパネル部５３における一覧表示画面を一見してデフォルトからの設定変更に係る概要を把握することが可能となる結果として、ショートカットキーの使い勝手を格段に向上させることを通じて、限りあるショートカットキー資源を有効活用し、かつ、装置全体としての利用効率を高水準に維持することができる。
【００３８】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【００３９】
すなわち、本発明実施例において、ショートカットキー（「登録１」キー１０１）の設定情報として、画質モード調整機能、ステープル機能、及びパンチ機能の組合せに係るものを例示して説明したが、本発明はかかる実施例に限定されるものではなく、画像形成装置に実装されている各種機能のうち、２以上の組合せに係る所要の機能を適宜採用することができる。
【００４０】
最後に、本発明実施例において、表示画面上に３つのショートカットキーを設置した例をあげて説明したが、本発明はかかる実施例に限定されるものではなく、例えば、表示画面上に６つなどの、いかなる数のショートカットキーを設置した場合であっても、本発明をそのまま適用することができることはいうまでもない。
【図面の簡単な説明】
【００４１】
【図１】本発明実施例に係る画像形成装置の概略構成を示す機能ブロック図である。
【図２】本画像形成装置における操作パネル部の外観図である。
【図３】本画像形成装置におけるショートカットキーの選択乃至確定に係るフローチャート図である。
【図４】図４（１），（２）は、ショートカットキーの選択操作に係るタッチパネル部５３における表示画面例を示す図である。
【図５】図５（１），（２）は、ショートカットキーの選択操作に係るタッチパネル部５３における表示画面例を示す図である。
【００４２】
【図６】図６（１），（２）は、ショートカットキーの選択操作に係るタッチパネル部５３における表示画面例を示す図である。
【符号の説明】
【００４３】
１１  主制御部
５３  タッチパネル部（表示部）
７１  設定情報取得部
７３  ショートカットキー機能登録部（機能登録部）
７４  差分抽出部
７５  テンポラリ領域
７６  テンポラリ領域管理部
７７  表示制御部
【図１】
0004937168.tif 000002
【図２】
0004937168.tif 000003
【図３】
0004937168.tif 000004
【図４】
0004937168.tif 000005
【図５】
0004937168.tif 000006
【図６】
0004937168.tif 000007